(57)【要約】【課題】プリンタ装置のユーザビリティを向上すること。【解決手段】レバー１２ａは、搬送ユニット１２の側面に設けられ、搬送ユニット１２の側面に対して垂直な回転軸１２ｂを中心にして回転可能であり、一端がプッシュレバー１１ａと当接し、かつ、他端がレバー１２ｃと当接する。プッシュレバー１１ａに加えられる押圧に従ったプッシュレバー１１ａの右回りの回転に伴って、凸部１１ｃが突起部１１ｄから離れる方向へ移動して搬送ユニット１１の搬送ユニット１２に対するロックが解除されて伝票搬送路が開放可能な状態になるのと同時に、レバー１２ａが左回りに回転し、かつ、レバー１２ａの左回りの回転によって加えられる押圧に従ってレバー１２ｃが右回りに回転することにより、凸部１２ｅが突起部１２ｆから離れる方向へ移動して搬送ユニット１２の搬送ユニット１３に対するロックが解除されて通帳搬送路が開放可能な状態になる。【選択図】図３
2016078970.tif 000002
【特許請求の範囲】
【請求項１】
第１の搬送ユニットと、
前記第１の搬送ユニットの上に積層され、かつ、第１の回転軸を中心にして開閉可能な第２の搬送ユニットと、
前記第２の搬送ユニットの上に積層され、かつ、前記第１の回転軸を中心にして開閉可能な第３の搬送ユニットと、
前記第１の搬送ユニットと前記第２の搬送ユニットとの間に形成され、かつ、第１の媒体の搬送に用いられる第１の搬送路と、
前記第２の搬送ユニットと前記第３の搬送ユニットとの間に形成され、かつ、第２の媒体の搬送に用いられる第２の搬送路と、
前記第３の搬送ユニットの第１の側面に設けられ、かつ、前記第１の側面に対して垂直な第２の回転軸を中心にして回転可能なプッシュレバーと、
前記第２の搬送ユニットの第２の側面に設けられ、かつ、前記プッシュレバーに設けられた第１の凸部が引っ掛かることにより前記第３の搬送ユニットを前記第２の搬送ユニットにロックする第１の突起部と、
前記第１の搬送ユニットの第３の側面に設けられ、かつ、前記第３の側面に対して垂直な第３の回転軸を中心にして回転可能な第１のレバーと、
前記第２の側面に設けられ、かつ、前記第１のレバーに設けられた第２の凸部が引っ掛かることにより前記第２の搬送ユニットを前記第１の搬送ユニットにロックする第２の突起部と、
前記第２の側面に設けられ、前記第２の側面に対して垂直な第３の回転軸を中心にして回転可能であり、一端が前記プッシュレバーと当接し、かつ、他端が前記第１のレバーと当接する第２のレバーと、を具備し、
前記プッシュレバーに加えられる押圧に従った前記プッシュレバーの第１の方向への回転に伴って、前記第１の凸部が前記第１の突起部から離れる方向へ移動して前記第３の搬送ユニットの前記第２の搬送ユニットに対するロックが解除されて前記第２の搬送路が開放可能な状態になるとともに、
前記プッシュレバーの前記第１の方向への回転に伴って、前記第２のレバーが前記第１の方向と逆方向の第２の方向へ回転し、かつ、前記第２のレバーの前記第２の方向への回転によって加えられる押圧に従って前記第１のレバーが前記第１の方向へ回転することにより、前記第２の凸部が前記第２の突起部から離れる方向へ移動して前記第２の搬送ユニットの前記第１の搬送ユニットに対するロックが解除されて前記第１の搬送路が開放可能な状態になる、
プリンタ装置。
【請求項２】
前記プッシュレバーの前記第１の凸部は、前記プッシュレバーの内側において前記第１の突起部を囲むように形成された貫通孔の周囲上に設けられる、
請求項１に記載のプリンタ装置。
【発明の詳細な説明】
【技術分野】
【０００１】
本発明は、プリンタ装置に関する。
【背景技術】
【０００２】
プリンタ装置の一つに、銀行等の金融機関で用いられる「通帳伝票プリンタ」がある。通帳伝票プリンタは、金融機関の窓口等に設置され、通帳及び伝票に取引内容を印刷する。通帳伝票プリンタには、通帳専用の挿入口（以下では「通帳挿入口」と呼ぶことがある）と伝票専用の挿入口（以下では「伝票挿入口」と呼ぶことがある）との２つの媒体挿入口が独立して設けられている。例えば、伝票挿入口が上段に設けられ、通帳挿入口が下段に設けられている。また、伝票挿入口の後方には伝票専用の搬送路（以下では「伝票搬送路」と呼ぶことがある）が設けられている一方で、通帳挿入口の後方には通帳専用の搬送路（以下では「通帳搬送路」と呼ぶことがある）が設けられている。伝票搬送路と通帳搬送路は、印字ヘッドの手前で合流して１つの媒体搬送路となる。
【０００３】
通帳伝票プリンタには、通帳挿入口と伝票挿入口とが独立して設けられているため、通帳伝票プリンタは、通帳と伝票とを同時に受け付けることが可能である。すなわち、ユーザは、伝票挿入口への伝票の挿入と、通帳挿入口への通帳の挿入とを同時に行うことが可能である。伝票と通帳とを同時に受け付けた通帳伝票プリンタは、例えば、まず通帳を印字ヘッド箇所まで搬送して取引内容を通帳に印刷した後、通帳を逆方向へ搬送して通帳挿入口から排出する。通帳の排出後、次いで、通帳伝票プリンタは、伝票を印字ヘッド箇所まで搬送して取引内容を伝票に印刷した後、伝票を逆方向へ搬送して伝票挿入口から排出する。このように、通帳伝票プリンタでは、１つの取引に対して、その取引内容が印刷される通帳と伝票とを同時に受け付けて、通帳と伝票とへの印刷処理を順に実行する。
【０００４】
通帳伝票プリンタでは、上記のように、伝票搬送路と通帳搬送路とが設けられているため、伝票搬送路及び通帳搬送路のそれぞれの搬送路で媒体のジャムが発生する可能性がある。すなわち、伝票搬送路で伝票のジャムが発生するのとは別に、通帳搬送路で通帳のジャムが発生する。よって、ジャムの原因となった媒体を各搬送路から取り除くために、従来の通帳伝票プリンタには、伝票搬送路を開放する機構と、通帳搬送路を開放する機構とが独立して備えられている。例えば、伝票搬送路を開放するための「プッシュレバーＡ」と、通帳搬送路を開放するための「プッシュレバーＢ」とが通帳伝票プリンタに備えられている。ユーザは、伝票搬送路でジャムが発生したときは、プッシュレバーＡを押すことにより、伝票搬送路にかけられていたロックを解除して伝票搬送路を開放する。一方で、ユーザは、通帳搬送路でジャムが発生したときは、プッシュレバーＢを押すことにより、通帳搬送路にかけられていたロックを解除して通帳搬送路を開放する。このように、従来の通帳伝票プリンタにおいては、ユーザは、ジャムの発生箇所に応じてそれぞれ適切なプッシュレバーを選択して操作する必要がある。
【先行技術文献】
【特許文献】
【０００５】
【特許文献１】特開平１０−２５４３２６号公報
【特許文献２】特開２００２−０１２３３６号公報
【特許文献３】特開２０１１−１８０３００号公報
【発明の概要】
【発明が解決しようとする課題】
【０００６】
しかしながら、ジャムの発生箇所に応じてそれぞれ適切なプッシュレバーをユーザが選択するのでは、ユーザは、誤ったプッシュレバーを押してしまうことがある。例えば、伝票搬送路でジャムが発生したにもかかわらず、ユーザは、誤ってプッシュレバーＢを押して、通帳搬送路にかけられていたロック、つまり、伝票搬送路の開放とは関係のないロックを解除してしまうことがある。このように、搬送路の開放という同様の機能を提供するためのプッシュレバーが複数備えられていたのでは、ユーザによる押し間違いが発生する可能性があるため、ユーザビリティが低下する。
【０００７】
開示の技術は、上記に鑑みてなされたものであって、プリンタ装置のユーザビリティを向上することを目的とする。
【課題を解決するための手段】
【０００８】
開示の態様では、プリンタ装置は、第１の搬送ユニットと、前記第１の搬送ユニットの上に積層され、かつ、第１の回転軸を中心にして開閉可能な第２の搬送ユニットと、前記第２の搬送ユニットの上に積層され、かつ、前記第１の回転軸を中心にして開閉可能な第３の搬送ユニットとを有する。また前記プリンタ装置は、前記第１の搬送ユニットと前記第２の搬送ユニットとの間に形成され、かつ、第１の媒体の搬送に用いられる第１の搬送路と、前記第２の搬送ユニットと前記第３の搬送ユニットとの間に形成され、かつ、第２の媒体の搬送に用いられる第２の搬送路とを有する。また前記プリンタ装置は、前記第３の搬送ユニットの第１の側面に設けられ、かつ、前記第１の側面に対して垂直な第２の回転軸を中心にして回転可能なプッシュレバーと、前記第２の搬送ユニットの第２の側面に設けられ、かつ、前記プッシュレバーに設けられた第１の凸部が引っ掛かることにより前記第３の搬送ユニットを前記第２の搬送ユニットにロックする第１の突起部とを有する。また、前記プリンタ装置は、前記第１の搬送ユニットの第３の側面に設けられ、かつ、前記第３の側面に対して垂直な第３の回転軸を中心にして回転可能な第１のレバーと、前記第２の側面に設けられ、かつ、前記第１のレバーに設けられた第２の凸部が引っ掛かることにより前記第２の搬送ユニットを前記第１の搬送ユニットにロックする第２の突起部とを有する。また前記プリンタ装置は、前記第２の側面に設けられ、前記第２の側面に対して垂直な第３の回転軸を中心にして回転可能であり、一端が前記プッシュレバーと当接し、かつ、他端が前記第１のレバーと当接する第２のレバーを有する。そして、前記プリンタ装置では、前記プッシュレバーに加えられる押圧に従った前記プッシュレバーの第１の方向への回転に伴って、前記第１の凸部が前記第１の突起部から離れる方向に移動して前記第３の搬送ユニットの前記第２の搬送ユニットに対するロックが解除されて前記第２の搬送路が開放可能な状態になる。また、前記第２の搬送路が開放可能な状態になるとともに、前記プッシュレバーの前記第１の方向への回転に伴って、前記第２のレバーが前記第１の方向と逆方向の第２の方向へ回転し、かつ、前記第２のレバーの前記第２の方向への回転によって加えられる押圧に従って前記第１のレバーが前記第１の方向へ回転することにより、前記第２の凸部が前記第２の突起部から離れる方向へ移動して前記第２の搬送ユニットの前記第１の搬送ユニットに対するロックが解除されて前記第１の搬送路が開放可能な状態になる。
【発明の効果】
【０００９】
開示の態様によれば、プリンタ装置のユーザビリティを向上することができる。
【図面の簡単な説明】
【００１０】
【図１】図１は、一実施例の通帳伝票プリンタの構成例を示す図である。
【図２】図２は、一実施例の通帳伝票プリンタの構成例を示す図である。
【図３】図３は、一実施例の前方ユニットの構成例を示す図である。
【図４】図４は、一実施例の前方ユニットの構成例を示す図である。
【図５】図５は、一実施例の前方ユニットの動作の説明に供する図である。
【図６】図６は、一実施例の前方ユニットの動作の説明に供する図である。
【図７】図７は、一実施例の前方ユニットの動作の説明に供する図である。
【図８】図８は、一実施例の前方ユニットの動作の説明に供する図である。
【図９】図９は、一実施例の前方ユニットの動作の説明に供する図である。
【図１０】図１０は、一実施例の前方ユニットの動作の説明に供する図である。
【図１１】図１１は、一実施例の前方ユニットの動作の説明に供する図である。
【図１２】図１２は、一実施例の前方ユニットの動作の説明に供する図である。
【発明を実施するための形態】
【００１１】
以下に、本願の開示するプリンタ装置の実施例を図面に基づいて詳細に説明する。なお、この実施例により本願の開示するプリンタ装置が限定されるものではない。また、以下の実施例において、同一の構成部材には同一の符号を付し、重複する説明を省略する。以下に説明する通帳伝票プリンタは、本願の開示するプリンタ装置の一例である。
【００１２】
＜通帳伝票プリンタの構成＞
図１は、一実施例の通帳伝票プリンタの構成例を示す図である。図１は、側面断面図である。図１において、通帳伝票プリンタ１は、媒体挿入口から見て前方にある前方ユニット２と、後方にある後方ユニット３とを有する。前方ユニット２と、後方ユニット３とは結合されて一体となって通帳伝票プリンタ１を構成する。前方ユニット２は、互いに積層された搬送ユニット１１，１２，１３を有し、搬送ユニット１３の上に搬送ユニット１２が積層され、搬送ユニット１２の上に搬送ユニット１１が積層される。後方ユニット３は、互いに積層された搬送ユニット３１，３２を有し、搬送ユニット３２の上に搬送ユニット３１が積層される。
【００１３】
前方ユニット２において、搬送ユニット１１は搬送ローラ１６を有し、搬送ユニット１２は搬送ローラ１７，１８を有し、搬送ユニット１３は搬送ローラ１９を有する。搬送ユニット１１と搬送ユニット１２との間には、伝票挿入口２１及び伝票搬送路１４が形成される。伝票挿入口２１に挿入された伝票は、搬送ローラ１６，１７によって伝票搬送路１４内を右方向へ搬送されて、後方ユニット３内で伝票に取引内容が印刷される。また、取引内容印刷後の伝票は、搬送ローラ１６，１７によって伝票搬送路１４内を左方向へ搬送されて伝票挿入口２１から排出される。一方で、搬送ユニット１２と搬送ユニット１３との間には、通帳挿入口２２及び通帳搬送路１５が形成される。通帳挿入口２２に挿入された通帳は、搬送ローラ１８，１９によって通帳搬送路１５内を右方向へ搬送されて、後方ユニット３内で通帳に取引内容が印刷される。また、取引内容印刷後の通帳は、搬送ローラ１８，１９によって通帳搬送路１５内を左方向へ搬送されて通帳挿入口２２から排出される。
【００１４】
後方ユニット３において、搬送ユニット３１は、搬送ローラ４３−１〜４３−４と、印字ヘッド４１とを有し、搬送ユニット３２は、搬送ローラ４４−１〜４４−４と、プラテン４２とを有する。搬送ユニット３１と搬送ユニット３２との間には、伝票搬送路１４及び通帳搬送路１５に続く媒体搬送路３３が形成される。つまり、伝票搬送路１４と通帳搬送路１５とは、印字ヘッド４１の手前で合流して１つの媒体搬送路３３となる。伝票搬送路１４から媒体搬送路３３に送り込まれた伝票は、搬送ローラ４３−１〜４３−４及び搬送ローラ４４−１〜４４−４によって媒体搬送路３３内を右方向へ搬送されながら、印字ヘッド４１及びプラテン４２によって伝票に取引内容が印刷される。取引内容印刷後の伝票は、搬送ローラ４３−１〜４３−４及び搬送ローラ４４−１〜４４−４によって媒体搬送路３３内を左方向へ搬送されて伝票搬送路１４へ送り出される。また、通帳搬送路１５から媒体搬送路３３に送り込まれた通帳は、搬送ローラ４３−１〜４３−４及び搬送ローラ４４−１〜４４−４によって媒体搬送路３３内を右方向へ搬送されながら、印字ヘッド４１及びプラテン４２によって通帳に取引内容が印刷される。取引内容印刷後の通帳は、搬送ローラ４３−１〜４３−４及び搬送ローラ４４−１〜４４−４によって媒体搬送路３３内を左方向へ搬送されて通帳搬送路１５へ送り出される。
【００１５】
また、搬送ユニット３１には、回転軸４５が設けられるため、搬送ユニット３１は回転軸４５を中心にして上下方向に開閉可能である。図１には、搬送ユニット３１が閉じている状態を示し、図２には、搬送ユニット３１が開いている状態を示す。図２は、一実施例の通帳伝票プリンタの構成例を示す図である。図２は、側面断面図である。図２のように、搬送ユニット３１が開いている状態にあるとき、媒体搬送路３３が開放されるので、媒体搬送路３３でのジャムの原因となった媒体を媒体搬送路３３から取り除くことが可能になる。また、搬送ユニット３１が開いている状態にあるときに、搬送ユニット１１及び搬送ユニット１２を上方向へ開けることが可能になる。搬送ユニット１１を上方向へ開けることにより伝票搬送路１４が開放され、搬送ユニット１２を上方向へ開けることにより通帳搬送路１５が開放される。
【００１６】
＜前方ユニットの構成＞
図３及び図４は、一実施例の前方ユニットの構成例を示す図である。図３及び図４は、前方ユニットの全体斜視図であり、図３は右側斜視図、図４は左側斜視図である。図３及び図４に示すように、前方ユニット２において、搬送ユニット１３の上に搬送ユニット１２が積層され、搬送ユニット１２の上に搬送ユニット１１が積層される。搬送ユニット１１と搬送ユニット１２との間には、伝票挿入口２１が形成され、搬送ユニット１２と搬送ユニット１３との間には、通帳挿入口２２が形成される。
【００１７】
図３に示す右側斜視図において、搬送ユニット１１は、板金部材１１ｍを介して回転軸２３に取り付けられており、回転軸２３を中心にして開閉可能である。また、搬送ユニット１２は、板金部材１２ｌを介して回転軸２３に取り付けられており、回転軸２３を中心にして開閉可能である。回転軸２３は、支持部材２４によって支持される。
【００１８】
搬送ユニット１１の右側面には、右側面を貫通する回転軸１１ｆに固定されたプッシュレバー１１ａが設けられる。プッシュレバー１１ａは、搬送ユニット１１の右側面に対して垂直な回転軸１１ｆを中心にして回転可能である。回転軸１１ｆとして、シャフトが用いられる。プッシュレバー１１ａに設けられたプッシュ部１１ｅに対する押圧力の増加に伴って、プッシュレバー１１ａが右回りに回転するとともに、プッシュレバー１１ａと搬送ユニット１１の右側面とを繋ぐスプリング１１ｇが伸びる。また、右回りに回転したプッシュレバー１１ａは、プッシュ部１１ｅに対する押圧力の減少に伴って、スプリング１１ｇが縮むことにより引っ張られて、左回りに回転して元の位置に復帰する。
【００１９】
また、プッシュレバー１１ａには、凸部１１ｃが設けられる。プッシュレバー１１ａの内側には貫通孔１１ｂが形成され、凸部１１ｃは、貫通孔１１ｂの周囲上に設けられる。一方で、搬送ユニット１２の右側面には突起部１１ｄが設けられる。貫通孔１１ｂは、突起部１１ｄを囲むように形成される。プッシュレバー１１ａに設けられた凸部１１ｃが突起部１１ｄに引っ掛かることにより、右側面において、搬送ユニット１１を搬送ユニット１２にロックする。
【００２０】
搬送ユニット１３の右側面には、右側面を貫通する回転軸１２ｈに固定されたレバー１２ｃが設けられる。レバー１２ｃは、搬送ユニット１３の右側面に対して垂直な回転軸１２ｈを中心にして回転可能である。回転軸１２ｈとして、シャフトが用いられる。レバー１２ｃに設けられたプッシュ部１２ｄに対する押圧力の増加に伴って、レバー１２ｃが右回りに回転するとともに、レバー１２ｃと搬送ユニット１３の右側面とを繋ぐスプリング１２ｇが伸びる。また、右回りに回転したレバー１２ｃは、プッシュ部１２ｄに対する押圧力の減少に伴って、スプリング１２ｇが縮むことにより引っ張られて、左回りに回転して元の位置に復帰する。
【００２１】
また、レバー１２ｃには、凸部１２ｅが設けられる。一方で、搬送ユニット１２の右側面には突起部１２ｆが設けられる。レバー１２ｃに設けられた凸部１２ｅが突起部１２ｆに引っ掛かることにより、右側面において、搬送ユニット１２を搬送ユニット１３にロックする。
【００２２】
さらに、搬送ユニット１２の右側面には、右側面を貫通する回転軸１２ｂに固定されたレバー１２ａが設けられる。レバー１２ａは、搬送ユニット１２の右側面に対して垂直な回転軸１２ｂを中心にして回転可能である。回転軸１２ｂとして、シャフトが用いられる。プッシュレバー１１ａの右回りの回転に伴って、プッシュレバー１１ａの先端がレバー１２ａの一端と当接し、レバー１２ａの他端がレバー１２ｃのプッシュ部１２ｄと当接する。
【００２３】
このため、プッシュレバー１１ａのプッシュ部１１ｅが押されてプッシュレバー１１ａが右回りに回転すると、レバー１２ａの一端がプッシュレバー１１ａの先端によって押されてレバー１２ａが左回りに回転する。また、レバー１２ａが左回りに回転すると、レバー１２ａの他端によってレバー１２ｃのプッシュ部１２ｄが押されて、レバー１２ｃが右回りに回転する。
【００２４】
一方で、図４に示す左側斜視図において、搬送ユニット１１は、板金部材（図４においては図示せず）を介して回転軸２５に取り付けられる。搬送ユニット１２は、板金部材１２ｍを介して回転軸２５に取り付けられる。回転軸２５は、支持部材２６によって支持される。
【００２５】
搬送ユニット１１の左側面には、左側面を貫通する回転軸１１ｆに固定されたレバー１１ｉが設けられる。レバー１１ｉは、回転軸１１ｆを介して、プッシュレバー１１ａと同期してプッシュレバー１１ａと同一方向に回転する。レバー１１ｉには、凸部１１ｊが設けられる。一方で、搬送ユニット１２の左側面には突起部１１ｋが設けられる。レバー１１ｉに設けられた凸部１１ｊが突起部１１ｋに引っ掛かることにより、左側面において、搬送ユニット１１を搬送ユニット１２にロックする。
【００２６】
搬送ユニット１３の左側面には、左側面を貫通する回転軸１２ｈに固定されたレバー１２ｉが設けられる。レバー１２ｉは、回転軸１２ｈを介して、レバー１２ｃと同期してレバー１２ｃと同一方向に回転する。レバー１２ｉには、凸部１２ｊが設けられる。一方で、搬送ユニット１２の左側面には突起部１２ｋが設けられる。レバー１２ｉに設けられた凸部１２ｊが突起部１２ｋに引っ掛かることにより、左側面において、搬送ユニット１２を搬送ユニット１３にロックする。
【００２７】
＜前方ユニットの動作＞
図５〜図１２は、一実施例の前方ユニットの動作の説明に供する図である。図５，７，９，１１は前方ユニットの右側面図であり、図６，８，１０，１２は前方ユニットの左側面図である。前方ユニット２は、以下の状態１〜４の各状態をとることが可能である。
【００２８】
＜状態１：図５及び図６＞
図５及び図６には、プッシュレバー１１ａのプッシュ部１１ｅが押されていない状態である「状態１」を示す。このとき、右側面では、凸部１１ｃが突起部１１ｄに引っかかり、凸部１２ｅが突起部１２ｆに引っ掛かっている。また、左側面では、凸部１１ｊが突起部１１ｋに引っかかり、凸部１２ｊが突起部１２ｋに引っ掛かっている。よって、状態１では、搬送ユニット１１が搬送ユニット１２にロックされ、搬送ユニット１２が搬送ユニット１３にロックされている。また、搬送ユニット１１と搬送ユニット１２との間には伝票搬送路１４が形成され、搬送ユニット１２と搬送ユニット１３との間には通帳搬送路１５が形成される。なお、図６に示すように、搬送ユニット１１は、板金部材１１ｎを介して回転軸２５に取り付けられる。
【００２９】
＜状態２：図７及び図８＞
図７及び図８には、プッシュレバー１１ａのプッシュ部１１ｅが押された状態である「状態２」を示す。プッシュ部１１ｅは、ユーザの右手の親指によって押されるのが好ましい。
【００３０】
プッシュレバー１１ａのプッシュ部１１ｅが押されると、プッシュレバー１１ａに加えられる押圧に従ってプッシュレバー１１ａが回転軸１１ｆを中心にして右回りに回転する。プッシュレバー１１ａの右回りの回転に伴って、凸部１１ｃが突起部１１ｄから離れる方向へ移動して凸部１１ｃが突起部１１ｄに引っ掛からなくなり、右側面において、搬送ユニット１２に対する搬送ユニット１１のロックが解除される。また同時に、左側面においても、凸部１１ｊが突起部１１ｋから離れる方向へ移動して凸部１１ｊが突起部１１ｋに引っ掛からなくなり、搬送ユニット１２に対する搬送ユニット１１のロックが解除される。
【００３１】
また同時に、プッシュレバー１１ａの右回りの回転に伴って、プッシュレバー１１ａの先端がレバー１２ａの一端に当接し、レバー１２ａの他端がレバー１２ｃのプッシュ部１２ｄに当接する。このため、プッシュレバー１１ａが右回りに回転すると、プッシュレバー１１ａの先端によりレバー１２ａの一端が押されてレバー１２ａが回転軸１２ｂを中心にして左回りに回転する。レバー１２ａが左回りに回転すると、レバー１２ａの他端によりレバー１２ｃのプッシュ部１２ｄが押圧される。つまり、プッシュレバー１１ａのプッシュ部１１ｅが押されると、レバー１２ａを介して、レバー１２ｃのプッシュ部１２ｄが押される。レバー１２ａの左回りの回転に伴ってレバー１２ａによりレバー１２ｃのプッシュ部１２ｄが押されると、レバー１２ｃに加えられる押圧に従ってレバー１２ｃが回転軸１２ｈを中心にして右回りに回転する。レバー１２ｃの右回りの回転に伴って、凸部１２ｅが突起部１２ｆから離れる方向へ移動して凸部１２ｅが突起部１２ｆに引っ掛からなくなり、右側面において、搬送ユニット１３に対する搬送ユニット１２のロックが解除される。また同時に、左側面においても、凸部１２ｊが突起部１２ｋから離れる方向へ移動して凸部１２ｊが突起部１２ｋに引っ掛からなくなり、搬送ユニット１３に対する搬送ユニット１２のロックが解除される。
【００３２】
そして、前方ユニット２は、状態２になった後は、以下の状態３または状態４の何れか一方の状態に遷移することが可能である。つまり、状態２は、伝票搬送路１４及び通帳搬送路１５の双方が開放可能な状態である。
【００３３】
＜状態３：図９及び図１０＞
図９及び図１０には、伝票搬送路１４が開放された状態である「状態３」を示す。上記の状態２において、搬送ユニット１１が上方へ持ち上げられると、搬送ユニット１１が回転軸２３を中心にして回転し、伝票搬送路１４が開放される。伝票搬送路１４が開放されると、伝票搬送路１４でのジャムの原因となった伝票を伝票搬送路１４から取り除くことが可能になる。また、搬送ユニット１１が上方へ持ち上げられると、レバー１２ｃが元の位置に復帰して、搬送ユニット１２が搬送ユニット１３にロックされる。ユーザは、上記の状態２において、プッシュ部１１ｅを右手の親指で押したまま、搬送ユニット１１の両側面を両手で把握して搬送ユニット１１を上方に持ち上げるのが好ましい。
【００３４】
＜状態４：図１１及び図１２＞
図１１及び図１２には、通帳搬送路１５が開放された状態である「状態４」を示す。上記の状態２において、搬送ユニット１２が上方へ持ち上げられると、搬送ユニット１２と、搬送ユニット１２上に積層された搬送ユニット１１とが、一体として、回転軸２３を中心にして回転し、通帳搬送路１５が開放される。通帳搬送路１５が開放されると、通帳搬送路１５でのジャムの原因となった通帳を通帳搬送路１５から取り除くことが可能になる。ユーザは、上記の状態２において、プッシュ部１１ｅを右手の親指で押したまま、搬送ユニット１２の両側面を両手で把握して搬送ユニット１２を上方に持ち上げるのが好ましい。
【００３５】
以上のように、通帳伝票プリンタ１は、搬送ユニット１１，１２，１３と、伝票搬送路１４と、通帳搬送路１５とを有する。また、通帳伝票プリンタ１は、プッシュレバー１１ａと、突起部１１ｄ，１２ｆと、レバー１２ａ，１２ｃとを有する。搬送ユニット１２は、搬送ユニット１３の上に積層され、かつ、回転軸２３を中心にして開閉可能である。搬送ユニット１１は、搬送ユニット１２の上に積層され、かつ、回転軸２３を中心にして開閉可能である。通帳搬送路１５は、搬送ユニット１３と搬送ユニット１２との間に形成され、かつ、通帳の搬送に用いられる。伝票搬送路１４は、搬送ユニット１２と搬送ユニット１１との間に形成され、かつ、伝票の搬送に用いられる。プッシュレバー１１ａは、搬送ユニット１１の側面に設けられ、かつ、搬送ユニット１１の側面に対して垂直な回転軸１１ｆを中心にして回転可能である。突起部１１ｄは、搬送ユニット１２の側面に設けられ、かつ、プッシュレバー１１ａに設けられた凸部１１ｃが引っ掛かることにより搬送ユニット１１を搬送ユニット１２にロックする。レバー１２ｃは、搬送ユニット１３の側面に設けられ、かつ、搬送ユニット１３の側面に対して垂直な回転軸１２ｈを中心にして回転可能である。突起部１２ｆは、搬送ユニット１２の側面に設けられ、かつ、レバー１２ｃに設けられた凸部１２ｅが引っ掛かることにより搬送ユニット１２を搬送ユニット１３にロックする。レバー１２ａは、搬送ユニット１２の側面に設けられ、搬送ユニット１２の側面に対して垂直な回転軸１２ｂを中心にして回転可能であり、一端がプッシュレバー１１ａと当接し、かつ、他端がレバー１２ｃと当接する。
【００３６】
そして、通帳伝票プリンタ１では、プッシュレバー１１ａに加えられる押圧に従ったプッシュレバー１１ａの右回りの回転に伴って、凸部１１ｃが突起部１１ｄから離れる方向へ移動して搬送ユニット１１の搬送ユニット１２に対するロックが解除されて伝票搬送路１４が開放可能な状態になる。また同時に、プッシュレバー１１ａの右回りの回転に伴って、レバー１２ａが左回りに回転し、かつ、レバー１２ａの左回りの回転によって加えられる押圧に従ってレバー１２ｃが右回りに回転することにより、凸部１２ｅが突起部１２ｆから離れる方向へ移動して搬送ユニット１２の搬送ユニット１３に対するロックが解除されて通帳搬送路１５が開放可能な状態になる。
【００３７】
よって、通帳伝票プリンタ１では、プッシュレバー１１ａが押されることにより、伝票搬送路１４にかけられたロックと、通帳搬送路１５にかけられたロックとを同時に解除することができる。つまり、ユーザは１つのプッシュレバー１１ａを操作するだけで、伝票搬送路１４及び通帳搬送路１５の２つの媒体搬送路を開放可能にすることができる。よって、ユーザは、伝票搬送路１４でジャムが発生した場合でも、通帳搬送路１５でジャムが発生した場合でも、ジャムの原因となった媒体を通帳伝票プリンタ１から除去する際に、ジャムの発生箇所にかかわらず、プッシュレバー１１ａを操作すれば足りる。これにより、ユーザは、ジャムの発生時に、ジャムの発生箇所に応じてそれぞれ適切なプッシュレバーを選択するという煩わしい作業から解放されるため、ジャム発生時のユーザによるプッシュレバーの押し間違いを防ぐことができる。よって、通帳伝票プリンタのユーザビリティを向上することができる。
【００３８】
また、伝票搬送路１４及び通帳搬送路１５の２つの媒体搬送路の開放を１つのプッシュレバー１１ａの操作によって可能にしたため、伝票搬送路１４の開放用のプッシュレバーと通帳搬送路１５の開放用のプッシュレバーとを別個に備える必要がない。このため、通帳伝票プリンタの省スペース化、開放機構の簡素化、及び、製造コストの低下を図ることができる。
【００３９】
また、プッシュレバー１１ａの凸部１１ｃは、プッシュレバー１１ａの内側において突起部１１ｄを囲むように形成された貫通孔１１ｂの周囲上に設けられる。
【００４０】
このようにして、凸部１１ｃをプッシュレバー１１ａの外側ではなく、プッシュレバー１１ａの内側に設けることで、プッシュレバー１１ａの外周付近のスペース利用効率を高めることができる。
【００４１】
なお、取引内容が印刷される媒体は、伝票及び通帳に限定されず、互いに異なる種類の媒体であればよい。また、印刷される内容は、取引内容に限定されない。つまり、開示の技術のプリンタ装置は、通帳伝票プリンタに限定されない。開示の技術のプリンタ装置は、互いに異なる複数の媒体に対する印刷が可能であって、それら複数の媒体のそれぞれに専用の複数の搬送路を有するものであればよい。
【符号の説明】
【００４２】
１  通帳伝票プリンタ
２  前方ユニット
３  後方ユニット
１１，１２，１３，３１，３２  搬送ユニット
１４  伝票搬送路
１５  通帳搬送路
１６，１７，１８，１９，４３−１〜４３−４，４４−１〜４４−４  搬送ローラ
２１  伝票挿入口
２２  通帳挿入口
４１  印字ヘッド
４２  プラテン
１１ａ  プッシュレバー
１１ｂ  貫通孔
１１ｃ，１１ｊ，１２ｅ，１２ｊ  凸部
１１ｄ，１１ｋ，１２ｆ，１２ｋ  突起部
１１ｅ，１２ｄ  プッシュ部
１１ｆ，１２ｈ，１２ｂ，２３，２５，４５  回転軸
１１ｇ，１２ｇ  スプリング
１１ｍ，１１ｎ，１２ｍ，１２ｌ  板金部材
１１ｉ，１２ａ，１２ｃ，１２ｉ  レバー
２４，２６  支持部材
３３  媒体搬送路
【図１】
2016078970.tif 000003
【図２】
2016078970.tif 000004
【図３】
2016078970.tif 000005
【図４】
2016078970.tif 000006
【図５】
2016078970.tif 000007
【図６】
2016078970.tif 000008
【図７】
2016078970.tif 000009
【図８】
2016078970.tif 000010
【図９】
2016078970.tif 000011
【図１０】
2016078970.tif 000012
【図１１】
2016078970.tif 000013
【図１２】
2016078970.tif 000014